(57)【要約】【課題】被洗浄物に付着する汚れを、払拭体の所望する部分で除去する作業が確実且つ安定して行える洗浄用ブラシを提供する。【解決手段】洗浄用ブラシ１を構成する柄部２前端の保持部３に、金属束子４、スポンジ６、不織布７の単一払拭体と、スポンジ６と不織布７とを組み合わせてなる複合払拭体とを変形させながら前方から押し込み、保持部３の開放側対向端部に突設した突起３ｃ，３ｃと、閉塞側内周縁部に突設した突起３ｃとを単一払拭体又は複合払拭体に係止（又は食い込み）して回り止め及び抜け止めする。金属束子４、スポンジ６、不織布７の単一払拭体と、スポンジ６と不織布７とを組み合わせてなる複合払拭体と、単一払拭体又は複合払拭体とブラシ部５とを併用する等して洗浄する。【選択図】  図１
2006204339.tif 000002
【特許請求の範囲】
【請求項１】
柔軟性を有する払拭体を柄部前端に取り付けた洗浄用ブラシであって、
上記柄部前端に、上記払拭体の押し込みが許容される間隔に一部が開放され、該払拭体が所望量突出した状態に保持される保持部を設け、
上記保持部の内側に、該保持部に押し込まれた払拭体に対して係止される突起を複数設けた
洗浄用ブラシ。
【請求項２】
上記突起を、上記保持部の開放側対向端部に対して上記払拭体の押し込みが許容される方向に向けて設けた
請求項１に記載の洗浄用ブラシ。
【請求項３】
上記保持部の内周縁部を、該保持部の中心部に向けて徐々に薄くなるような厚み又は断面に形成した
請求項１又は２に記載の洗浄用ブラシ。
【請求項４】
上記保持部の片面又は両面に、該保持部の周縁部に沿って多数の毛からなるブラシ部を植設した
請求項１〜３のいずれか一つに記載の洗浄用ブラシ。
【請求項５】
上記払拭体を、金属束子、スポンジ、不織布のいずれか一つ又は複数を組み合わせて構成した
請求項１〜４のいずれか一つに記載の洗浄用ブラシ。
【請求項６】
上記保持部を、上記柄部前端に対して着脱自在に設けた
請求項１〜５のいずれか一つに記載の洗浄用ブラシ。
【発明の詳細な説明】
【技術分野】
【０００１】
この発明は、例えば食器や身体、機械を洗ったり、身体のマッサージ等に用いられる洗浄用ブラシに関する。
【背景技術】
【０００２】
従来、上述の洗浄用ブラシとしては、例えばドーナツ型を有する平板の片面にブラシを設け、その平板の中央にスポンジを嵌め込み、スポンジの脱落を防止するために、平板の内側にツメを設けた特許文献１のアミ戸ブラシがあるが、ツメが大きいと、スポンジに対するツメの食い込み量が深くなるので、スポンジを平板中央に嵌め込んだり、抜き取ったりすることが難しくなり、強引に嵌め込むと、スポンジが損傷又は破損することもあるので、スポンジを所望量突出した状態に嵌め込む作業と、新しいスポンジに交換する作業とに手間及び時間が掛かる。また、ツメが小さいと、スポンジに対するツメの食い込み量が浅くなるので、スポンジを平板中央に嵌め込んだり、抜き取ったりする作業が容易に行えるが、スポンジに付与される抵抗が減少するため、スポンジを被洗浄物に押し付けたとき、スポンジの向きが変位したり、押し込まれたり、抜け落ちたりすることがある。
【０００３】
【特許文献１】実開昭５５−１５３９３５号公報
【発明の開示】
【発明が解決しようとする課題】
【０００４】
この発明は上記問題に鑑み、柔軟性を有する払拭体を柄部前端に設けた保持部に対して開放側から押し込み、該保持部内側に設けた複数の突起を払拭体に係止することにより、被洗浄物に付着する汚れを、払拭体の所望する部分で除去する作業が確実且つ安定して行える洗浄用ブラシの提供を目的とする。
【課題を解決するための手段】
【０００５】
請求項１に記載した発明の洗浄用ブラシは、柔軟性を有する払拭体を柄部前端に取り付けた洗浄用ブラシであって、上記柄部前端に、上記払拭体の押し込みが許容される間隔に一部が開放され、該払拭体が所望量突出した状態に保持される保持部を設け、上記保持部の内側に、該保持部に押し込まれた払拭体に対して係止される突起を複数設けたことを特徴とする。
【０００６】
上記払拭体は、例えばスポンジ、金属束子、綿状交絡体、合成樹脂製（ナイロン樹脂製）の不織布等の柔軟性を有するもので構成することができる。つまり、柔軟性を有する払拭体を変形させながら、柄部前端に設けた保持部に対して開放側から押し込み、払拭体外面を、その払拭体自体の復元力により保持部内面に押圧し、保持部の内側に設けた複数の突起を払拭体に係止して、保持部両面に所望量突出した状態に保持して回り止め及び抜止めする。洗浄作業時において、柄部を手で把持して、保持部に保持された払拭体の所望する部分を被洗浄物に押し付けて、被洗浄物に付着する汚れを洗浄除去する。
【０００７】
請求項２に記載した発明の洗浄用ブラシは、上記請求項１に記載の構成と併せて、上記突起を、上記保持部の開放側対向端部に対して上記払拭体の押し込みが許容される方向に向けて設けたことを特徴とする。つまり、払拭体を、保持部に対して開放側から押し込みやすく、その開放側対向端部に設けた突起が払拭体に係止される。
【０００８】
請求項３に記載した発明の洗浄用ブラシは、上記請求項１又は２に記載の構成と併せて、上記保持部の内周縁部を、該保持部の中心部に向けて徐々に薄くなるような厚み又は断面に形成したことを特徴とする。つまり、突起の係止に加えて、保持部の内周縁部が払拭体の外面に食い込むので、強固に回り止め及び抜止めされる。
【０００９】
請求項４に記載した発明の洗浄用ブラシは、上記請求項１〜３のいずれか一つに記載の構成と併せて、上記保持部の片面又は両面に、該保持部の周縁部に沿って多数の毛からなるブラシ部を植設したことを特徴とする。つまり、保持部に植設したブラシ部で被洗浄物に付着する汚れを洗浄除去するか、保持部に保持された払拭体との相乗作用で被洗浄物に付着する汚れを被洗除去する。
【００１０】
請求項５に記載した発明の洗浄用ブラシは、上記請求項１〜４に記載の構成と併せて、上記払拭体を、金属束子、スポンジ、不織布のいずれか一つ又は複数を組み合わせて構成したことを特徴とする。つまり、保持部に保持された金属束子、スポンジ、不織布の単一払拭体と、複数の払拭体を組み合わせてなる複合払拭体とのいずれかを被洗浄物に押し付けて、被洗浄物に付着する汚れを洗浄除去する。
【００１１】
請求項６に記載した発明の洗浄用ブラシは、上記請求項１〜５のいずれか一つに記載の構成と併せて、上記保持部を、上記柄部前端に対して着脱自在に設けたことを特徴とする。つまり、例えば金属束子、スポンジ、不織布等の単一払拭体と、異なる材質の払拭体を複数組み合わせてなる複合払拭体が保持されたブラシ無しの保持部と、単一払拭体又は複合払拭体が保持されたブラシ付きの保持部との中からいずれか一つを選択して着脱交換することもできる。
【発明の効果】
【００１２】
この発明によれば、柔軟性を有する払拭体を柄部前端に設けた保持部に対して開放側から押し込み、該保持部の内側に設けた複数の突起を払拭体に係止して回り止め及び抜止めするので、洗浄作業中において、払拭体の向きが変位したり、押し込まれたり、抜け落ちたりせず、被洗浄物に付着する汚れを、払拭体の所望する部分で除去する作業が確実且つ安定して行える。また、払拭体を、保持部両面に突出する量が略同等又は片面に突出する量が大きくなるように保持する作業及び払拭体を交換する作業が簡単且つ容易に行える。
【００１３】
また、払拭体、ブラシ部のいずれか一つを用いるか、払拭体とブラシ部とを併用すれば、被洗浄物に付着する汚れを除去するのに適したものを使用して確実に洗浄することができる。また、柄部を兼用するため、製造コストの低減を図ることができる。
【発明を実施するための最良の形態】
【００１４】
この発明は、被洗浄物に付着する汚れを、払拭体の所望する部分で除去する作業が確実且つ安定して行えるという目的を、柔軟性を有する払拭体を柄部前端に設けた保持部に対して開放側から押し込み、該保持部内側に設けた複数の突起を払拭体に係止することで達成した。
【実施例】
【００１５】
この発明の一実施例を以下図面に基づいて詳述する。
【００１６】
図面は、払拭体の一例である金属束子が保持された洗浄用ブラシを示し、図１に於いて、この洗浄用ブラシ１は、手で把持される長さ及び形状に形成した柄部２と、ステンレス製の金属束子４が保持される平面から見て略Ｃ状の保持部３とが合成樹脂で構成され、金属束子４が保持された屈曲型又は直線型の保持部３は、柄部２前端の差込み部２ａに対して着脱自在に差込み固定される。また、柄部２前端に対して保持部３を一体的に形成してもよい。
【００１７】
上記保持部３は、図２のイにも示すように、金属束子４が保持又は挟持される受け孔３ａを保持部３の前端側に形成し、柄部２前端が差込み固定される差込み部３ｂを保持部３の後端側に形成している。また、保持部３に形成した保持孔３ａの内周縁部を、保持孔３ａの中心部に向けて徐々に薄くなるような厚み又は断面に形成している。
【００１８】
また、保持孔３ａの前端側中央部を、金属束子４が前方から押し込み許容される間隔に開放するとともに、その保持孔３ａの開放側対向端部に、金属束子４の押し込みが許容される方向に向けて短尺の突起３ｃ，３ｃを突設し、保持孔３ａの閉塞側内周縁部に、開放側から押し込まれる金属束子４と対向して長尺の突起３ｃを突設している。
【００１９】
つまり、金属束子４を径方向に圧縮変形させながら保持部３前方から保持孔３ａに押し込み、その保持孔３ａの開放側対向端部に突設した突起３ｃ，３ｃと、閉塞側内周縁部に突設した突起３ｃとを金属束子４に係止（又は食い込み）する。且つ、突起３ｃ…の係止に加えて、保持孔３ａの内周縁部を金属束子４の外面に係止（又は食い込み）して、強固に回り止め及び抜止めする。また、金属束子４を、保持部３の上方又は下方から押し込んで保持することもできる。
【００２０】
また、図中のロにも示すように、一対の突起３ｃ，３ｃを保持孔３ａの閉塞側内周縁部に突設し、保持部３前方から保持孔３ａに押し込まれる金属束子４に係止（又は食い込み）して回り止め及び抜け止めすることもできる。
【００２１】
一方、差込み部３ｂの両側壁部には、柄部２前端の両側縁部に形成した一対の係止爪２ａ，２ａが係止される係止孔３ｄ，３ｄを形成している。つまり、柄部２前端に形成した一対の係止爪２ａ，２ａを保持部３の差込み部３ｂに差し込むとともに、一対の係止爪２ａ，２ａを差込み部３ｂの係止孔３ｄ，３ｄにそれぞれ係止して一体的に差込み固定する。また、一対の係止爪２ａ，２ａを、その係止力に抗して内側に向けて強制的に押し込み、係止爪２ａ，２ａを係止孔３ｄ，３ｄから同時に離脱させると、柄部２と保持部３とを分離することができる。
【００２２】
前記金属束子４は、ステンレス製の線条体を綿状に交絡してなる束子で構成され、保持部３の受け孔３ａに対して押し込み可能な大きさ及び形状に変形可能な柔軟性を有している。つまり、金属束子４自体を圧縮変形させながら保持部３の受け孔３ａに対して前方から押し込み、金属束子４の外周面を、金属束子４自体の復元力により保持部３の受け孔３ａ内周面に押し付けて、相互の押圧部分に生じる接触抵抗により回り止め及び抜け止めする。
【００２３】
また、受け孔３ａの開放側対向端部に突設した突起３ｃ，３ｃと、閉塞側内周縁部に突設した突起３ｃとが金属束子４の外周面に対して係止（又は食い込み）されるので、使用作業中において、金属束子４の向きが変位したり、押し込まれたり、抜け落ちたりせず、確実に回り止め及び抜止めされる。
【００２４】
前記略Ｃ状の保持部３に代えて、図３のハに示すような平面から見て略環状の保持部３に交換することもできる。つまり、金属束子４が上方又は下方から押し込み許容される受け孔３ａを保持部３の前端側に形成し、柄部２前端が差込み固定される差込み部３ｂを保持部３の後端側に形成している。また、受け孔３ａの内周縁部には、金属束子４に対して係止（又は食い込み）される突起３ｃを受け孔３ａの孔中心に向けて突設するとともに、円周方向に対して所定間隔に隔てて３個配列している。また、図中のニにも示すように、一対の突起３ｃ，３ｃを、受け孔３ａの対向内周縁部に対して異なる間隔に隔てて配列してもよく、等間隔に配列した突起３ｃを係止するよりも回り止め抵抗及び抜止め抵抗が大きくなる。
【００２５】
図４、図５は、ブラシ付きの保持部３を、兼用型の柄部２前端に取り付けた洗浄用ブラシ１の他の例を示し、柄部２前端に差込み固定された略Ｃ状を有する保持部３の片面には、多数の毛５ａ…からなるブラシ部５を植設している。また、保持部３の受け孔３ａには、金属束子４を保持部３両面に対して所望量突出した状態に保持するとともに、その金属束子４の外面がブラシ部５の先端よりも所望量突出（又は没入）した状態に保持する。
【００２６】
上記ブラシ部５は、図６のホにも示すように、合成樹脂製の毛５ａ…を複数本束ねたまま略Ｃ状を有する保持部３の片面周縁部に沿って円周方向に対して所定間隔に隔てて植設している。また、合成樹脂製の毛５ａの代わりに、例えば天然の毛、金属製の毛等を植設することもできる。
【００２７】
また、略Ｃ状を有するブラシ付きの保持部３に代えて、図中のヘにも示すような平面から見て略環状を有するブラシ付きの保持部３に交換することもできる。つまり、略環状を有する保持部３の片面周縁部に、多数の毛５ａ…からなるブラシ部５を植設している。
【００２８】
また、図７に示すように、略Ｃ状又は略環状を有する保持部３の両面に、多数の毛５ａ…からなるブラシ部５を保持部３の両面周縁部に沿って円周方向に対して所定間隔に隔てて植設することもできる。
【００２９】
なお、金属束子４の代わりに、後述するスポンジ６、不織布７の単一払拭体、スポンジ６と不織布７とを組み合わせてなる複合払拭体を保持するか、単一払拭体又は複合払拭体が保持されたブラシ付きの保持部３に交換することもできる。
【００３０】
図示実施例は上記の如く構成するものにして、以下、洗浄用ブラシ１による洗浄方法を説明する。
【００３１】
先ず、図１、図２にも示すように、洗浄用ブラシ１を構成する柄部２を手で把持して、柄部２前端の保持部３に保持された金属束子４を、例えば食器、調理器等の被洗浄物の汚れ部分に押し付けるとともに、後述するような液体Ａを被洗浄物に付着する汚れ部分に吹き付けながら、被洗浄物に付着する汚れを金属束子４で払拭して洗浄除去する。また、柄部２前端に差込み固定された保持部３に、金属束子４を前方から押し込んで保持することもできる。
【００３２】
また、図４、図５に示すブラシ付きの保持部３に交換すれば、その保持部３片面に突出する状態に保持された金属束子４で被洗浄物に付着する汚れを洗浄除去するか、保持部３の片面又は図７に示す保持部３の両面に突出する金属束子４とブラシ部５との相乗作用で被洗浄物に付着する汚れを被洗除去することができる。
【００３３】
また、被洗浄物に付着する汚れを除去するのに最適な払拭体に交換する場合、金属束子４が保持された保持部３を柄部２前端から分離すれば、図７に示すようなにブラシ部５が両面に植設されたブラシ付きの保持部３と、図８に示すようなスポンジ６が保持されたブラシ無しの保持部３と、図９に示すようなスポンジ６が保持されたブラシ付きの保持部３と、図１０に示すような異なる材質のスポンジ６と不織布７とを一体的に組み合わせて保持したブラシ付き（又はブラシ無し）の保持部３との中からいずれか一つを選択して着脱交換することもできる。
【００３４】
また、金属束子４、スポンジ６、不織布７の単一払拭体と、スポンジ６と不織布７とを組み合わせてなる複合払拭体とを保持部３から抜き取り、所望する払拭体或いは未使用の払拭体に交換することもできる。
【００３５】
また、上記単一払拭体又は複合払拭体をブラシ付きの保持部３から抜き取るか、その保持部３に取り付けなければ、保持部３に植設したブラシ部５で被洗浄物に付着する汚れを洗浄除去することもできる。
【００３６】
以上のように、洗浄用ブラシ１を構成する柄部２前端に差込み固定された保持部３に、金属束子４、スポンジ６、不織布７の単一払拭体と、スポンジ６と不織布７とを組み合わせてなる複合払拭体との中から選択したいずれか一つを開放側から押し込み、受け孔３ａの開放側対向端部に突設した突起３ｃ，３ｃと、閉塞側内周縁部に突設した突起３ｃとを単一払拭体又は複合払拭体に係止（又は食い込み）して回り止め及び抜止めするので、洗浄作業中において、単一払拭体又は複合払拭体の向きが変位したり、押し込まれたり、抜け落ちたりせず、被洗浄物に付着する汚れを、単一払拭体又は複合払拭体の所望する部分で除去する作業が確実且つ安定して行える。また、単一払拭体又は複合払拭体を、保持部３両面に突出する量が略同等又は片面に突出する量が大きくなるように保持する作業及び払拭体を交換する作業とが簡単且つ容易に行える。
【００３７】
また、単一払拭体、複合払拭体、ブラシ部５のいずれか一つを用いるか、単一払拭体又は複合払拭体とブラシ部５とを併用すれば、被洗浄物に付着する汚れを除去するのに適したものを使用して確実に洗浄することができる。また、柄部２を兼用するため、製造コストの低減を図ることができる。
【００３８】
図１１は、洗浄用液体Ａを噴出するための噴出機能を備えた洗浄用ブラシ１の他の例を示し、例えば水道水、洗浄水、洗浄液等の単一又は複合した液体Ａの流通が許容される供給路２ｂを中空に形成した柄部２内部に設け、供給路２ｂと連通する供給孔２ｃを柄部２前端に設け、フレキシブル管が接続される接続部２ｄを供給路２ｂと連通して柄部２後端に設けている。
【００３９】
つまり、例えば水道の蛇口、タンク、貯溜槽等の液体供給源から供給される液体Ａを、フレキシブル管を介して、柄部２内部の供給路２ｂに連続供給し、被洗浄物に付着する汚れ部分に、供給部３の係止孔３ｄ，３ｄから噴出される液体Ａを吹き付けるとともに、ブラシ部５及びスポンジ６のいずれか一つを用いるか、ブラシ部５及びスポンジ６を併用する等して、被洗浄物に付着する汚れを除去するので、上記実施例と略同等の作用及び効果を奏することができる。
【００４０】
また、例えば圧搾空気供給装置、圧搾空気充填容器等の気体供給源を柄部３の接続部２ｄに接続すれば、供給部３から噴出される圧搾気体で残液を吹き飛ばすか、乾燥させることもできる。また、洗浄用液体Ａを噴出する専用の孔を、係止孔３ｄ以外の他の部分に設けてもよい。
【００４１】
この発明の構成と、上述の実施例との対応において、  
この発明の払拭体は、実施例の金属束子４、スポンジ６、不織布７の単一払拭体、異なる材質の単一払拭体を組み合わせてなる複合払拭体とに対応するも、  
この発明は、上述の実施例の構成のみに限定されるものではない。
【００４２】
上記洗浄用ブラシ１は、例えば木材、金属、セラミックス等の単一又は複合した材質で構成することもできる。
【産業上の利用可能性】
【００４３】
本発明の洗浄用ブラシの構成は、例えば洗顔や身体を洗ったり、マッサージするのにも利用することができる。
【図面の簡単な説明】
【００４４】
【図１】金属束子をブラシ無し保持部に保持した洗浄用ブラシを示す側面図。
【図２】図中のイ，ロは平面から見て略Ｃ状の突起付き保持部を示す平面図。
【図３】図中のハ，ニは平面から見て略環状の突起付き保持部を示す平面図。
【図４】ブラシ部を片面に植設した洗浄用ブラシを示す側面図。
【図５】ブラシ部側から保持部を目視した状態を示す底面図。
【図６】図中のホ，ヘはブラシ部を植設した突起付き保持部を示す平面図。
【図７】ブラシ部を両面に植設した洗浄用ブラシを示す側面図。
【図８】スポンジをブラシ無し保持部に保持した洗浄用ブラシを示す側面図。
【図９】スポンジをブラシ付き保持部に保持した洗浄用ブラシを示す側面図。
【図１０】スポンジと不織布とを保持した洗浄用ブラシを示す側面図。
【図１１】液体を噴出する機能を備えた洗浄用ブラシを示す断面図。
【符号の説明】
【００４５】
Ａ…洗浄用液体
１…洗浄用ブラシ
２…柄部
２ｂ…供給路
２ｃ…供給孔
２ｄ…接続部
３…保持部
３ａ…受け孔
３ｂ…差込み部
３ｃ…突起
４…金属束子
５…ブラシ部
６…スポンジ
７…不織布
【図１】
2006204339.tif 000003
【図２】
2006204339.tif 000004
【図３】
2006204339.tif 000005
【図４】
2006204339.tif 000006
【図５】
2006204339.tif 000007
【図６】
2006204339.tif 000008
【図７】
2006204339.tif 000009
【図８】
2006204339.tif 000010
【図９】
2006204339.tif 000011
【図１０】
2006204339.tif 000012
【図１１】
2006204339.tif 000013